(57)【特許請求の範囲】
【請求項１】
単数又は複数の入力ラインより入力される信号の信号ルートをそれぞれ単数又は複数の出力ラインの中から選択する所定の出力ラインに切り換えるスイツチヤ装置において、
上記出力ラインの使用可能な範囲を設定すると共に、上記出力ラインの使用可能な範囲に対して使用制限され、且つ当該出力ラインに接続された機器と同一タイプの名称が含まれる上記入力ラインのみを上記入力ラインの使用範囲として設定する入出力範囲設定部と、
設定された上記使用範囲をもとに上記出力ラインに対して上記使用範囲の入力ラインを表示させると共に、所定の上記出力ラインに対して上記使用範囲内で上記入力ラインを切換えさせ、切り換え設定された入出力ラインを表すルート切換データを生成する信号ルート設定部と、
上記信号ルート設定部から送信される上記ルート切換データに基づいて上記入力ライン及び又は上記出力ラインに対応する選択ボタンを点灯させることにより、上記信号ルート設定部によって設定された上記信号ルートを表示する表示部と
を有するスイツチヤ装置。
【請求項２】
上記入出力範囲設定部は、
上記入力ラインの上記使用可能な範囲及び上記出力ラインの上記使用可能な範囲をそれぞれ上記入力ライン及び上記出力ラインの名称に付されたライン番号の開始番号及び終了番号によつて設定し、当該出力ラインに接続された機器と同一タイプの名称が含まれる上記入力ラインのみを上記入力ラインの上記使用範囲として設定する
請求項１に記載のスイツチヤ装置。
【発明の詳細な説明】
【０００１】
【目次】
以下の順次で本発明を説明する。
【０００２】
発明の属する技術分野
従来の技術
発明が解決しようする課題
課題を解決するための手段
発明の実施の形態（図１〜図５）
（１）スイツチヤ装置の構成（図１及び図２）
（２）ルーテイングスイツチヤの入出力ラインの切り換え（図３〜図５）
（３）実施の形態の動作
（４）実施の形態の効果
（５）他の実施の形態
発明の効果
【０００３】
【発明の属する技術分野】
本発明はスイツチヤ装置に関し、例えば放送局においてＶＴＲ(Video Tape Recorder) 、カメラ等の信号入力を切り換えて所望の信号出力先へ送出するためのスイツチヤ装置に適用して好適なものである。
【０００５】
【従来の技術】
従来、ルーテイングスイツチヤにおいては信号発信源のビデオ信号やオーデイオ信号を任意の入力ラインを介して取り込んだ後、指定した複数の出力ラインに切り換えて編集側の各受信部に出力することによつて、所望のビデオ信号やオーデイオ信号に対して編集作業を施すことが行われている。
【０００６】
ルーテイングスイツチヤは、外部から入力される映像や音声信号を瞬時に切り換えて出力側に送出する信号の切換え装置で、マトリクス状に配置されたクロスポイントの集合によつて構成されている。すなわちルーテイングスイツチヤを構成するマトリクスの一方の側に対して信号入力ラインを設定すると共に、他方の側に信号出力ラインを設定しておくことによつて、指定された信号入力ラインからの入力信号が最短コースのクロスポイントを経由して指定された出力信号ラインに切り換えて出力されるようになされている。
【０００７】
【発明が解決しようする課題】
ところでルーテイングスイツチヤにおいて制御対象の出力ラインに対して所定の入力ラインを選択する場合、入力ラインに関してはマトリクススイツチヤの入力側のラインを順番に全て表示するようにしている。このように入力ラインの選択時に制御対象の出力ラインに対して全ての入力ラインを表示するようにした場合、例えば入力側において使用可能でない入力ラインについても表示するようなことになり入力ライン設定の際、不要な検索がなされていたという問題があつた。
【０００８】
さらにこの場合、制御対象の出力ラインに対して使用不可の入力ラインを設定するおそれがあるという問題がある。
【０００９】
また各出力ライン毎に設定可能な入力ラインを表示することも考えられるが、この場合は、各出力ライン毎に設定可能な入力ラインのデータを対応付けて記憶させるため記憶するデータ量や記憶させるデータの設定数が増大するという問題がある。
【００１０】
本発明は以上の点を考慮してなされたもので、制御対象の出力ラインに対して使用可能な入力ラインを確実かつ迅速に設定し得るスイツチヤ装置を提案しようとするものである。
【００１１】
【課題を解決するための手段】
かかる課題を解決するため本発明においては、単数又は複数の入力ラインより入力される信号の信号ルートをそれぞれ単数又は複数の出力ラインの中から所定の出力ラインに切り換えるスイツチヤ装置において、出力ラインの使用可能な範囲を設定すると共に、出力ラインの使用可能な範囲に対して使用制限され、且つ当該出力ラインに接続された機器と同一タイプの名称が含まれる入力ラインのみを入力ラインの使用範囲として設定する入出力範囲設定部と、設定された使用範囲をもとに出力ラインに対して使用範囲内で使用制限された入力ラインを表示させると共に、所定の出力ラインに対して使用制限された入力ラインを切換えさせ、切り換え設定された入出力ラインを表すルート切換データを生成する信号ルート設定部と、信号ルート設定部から送信されるルート切換データに基づいて入力ライン及び又は出力ラインに対応する選択ボタンを点灯させることにより、信号ルート設定部によつて設定された信号ルートを表示する表示部とを備える。
【００１２】
これにより制御対象の出力ラインに対して使用制限され且つ機器の名称が同一タイプである入力ラインの範囲を入出力範囲設定部によつて設定し、入出力ルート設定部の表示部において制御対象の出力ラインに対して使用可能な入力ラインのみを表示すると共に選択ボタンの点灯状態により信号ルートを示すことができる。
【００１３】
【発明の実施の形態】
以下図面について、本発明の一実施の形態を詳述する。
【００１４】
（１）スイツチヤ装置の構成
図１において、１は全体としてスイツチヤ装置を示し、コントロール部２の制御によりルーテイングスイツチヤ３（３Ａ及び３Ｂ）に設けられた入出力ラインを切り換え制御することによつて、入力信号の入出力ルートを設定し、各入力ラインに対応する発信部（ソース）４に設けられたＶＴＲ、カメラ等の複数の信号発信源各々から発信される各入力信号を各出力ラインに対応する受信部（デステイネーシヨン）５に設けられたＶＴＲ、モニタ等の複数の送信先の中から指定される所定の送信先に切り換えるようになされている。
【００１５】
制御局であるコントロール部２は、まずコントロールターミナル２Ａにおいてルーテイングスイツチヤ３Ａ及び３Ｂにおける入力ライン及び出力ラインの切り換えに関する基本設定をするための設定画面を表示する。
【００１６】
このとき各リモートコントロールユニツト６（６Ａ及び６Ｂ）より、各リモートコントロールユニツト６Ａ及び６Ｂに設定されているルート設定データＤ０が読み出され、Ｓバス７を通じてコントロール部２に送信される。
【００１７】
ユーザはこの表示画面に表示されるルート設定データＤ０をもとにコントロールターミナル２Ａより、キー入力を行い、これにより設定した入出力ラインの切り換えの基本設定データをＳバス７を通じてリモートコントロールユニツト６やルーテイングスイツチヤ３に送信し、これにより入出力ラインに対する基本設定を行う。
【００１８】
すなわち図２に示すリモートコントロールユニツト６は、コントロール部２（図１）からの要求に応じて、現在、リモートコントロールユニツト６に設定されている入出力ルートのルート設定データＤ０を制御部１０Ａ内のＣＰＵ（Central Processing Unit ）１２の制御によりフラツシユＲＯＭ(Read Only Memory)１４より読み出して入力バツフア１１Ｅ及びＳバス７を介してコントロール部２に送信する。
【００１９】
これに対してコントロール部２は、上述したようにコントロールターミナル２Ａにおいてルート設定データＤ０を設定画面上に読み出し、その設定データの内容を表示する。
【００２０】
ここでコントロールターミナル２Ａにおいてキー入力によりルート設定データＤ０を新たに設定してリモートコントロールユニツト６やルーテイングスイツチヤ３に送信することによつて、ルート設定データＤ０に基づいた入出力ラインの基本設定がなされる。
【００２１】
各ルーテイングスイツチヤ３Ａ及び３Ｂに対する入出力ラインのルート設定は、まずコントロール部２のコントロールユニツト２Ｂより各リモートコントロールユニツト６Ａ及び６Ｂに対してＳバス７を通じて入出力ルートの切り換えが問い合わせられる。これに対して各リモートコントロールユニツト６Ａ及び６Ｂは、それぞれコントロールパネル上にて切換え指定した入出力ラインがある場合には、当該入出力ラインの切換要求データＳ１をＳバス７を通じてコントロール部２に送信する。
【００２２】
各リモートコントロールユニツト６Ａ及び６Ｂにおいては、コントロールパネルに対応する表示部１０Ｂに設けられる選択ボタン１７に対して予めユーザによつて各ルーテイングスイツチヤ３Ａ及び３Ｂの各入出力ラインが対応付けされ設定されるようになされている。
【００２３】
かくして、コントロールパネル上にてユーザが切り換えを所望する入力ライン又は出力ラインに該当する選択ボタン１７を選択して押すと、当該選択ボタン１７のスイツチＳＷはオンに設定され、このときの選択ボタン１７のスイツチＳＷの状態がバツフア１１Ｄを介して制御部１０ＡのＲＡＭ１３に出力される。
【００２４】
この場合、各リモートコントロールユニツト６Ａ及び６Ｂは、表示部１０Ｂにおいて押された選択ボタン１７に応じて入力ライン及び出力ラインを切り換えるための切換要求データＳ１を制御部１０Ａにおいて生成してＳバス７を通じてコントロール部２に出力する。これによりルーテイングスイツチヤ３の入出力ラインを切り換えて入力信号に対して所望の入出力ルートを設定するようになされている。
【００２５】
すなわちリモートコントロールユニツト６の制御部１０Ａは、ＣＰＵ１２の制御によりＲＡＭ１３に送出されるスイツチＳＷの出力を検出すると選択ボタン１７からの出力レベルに応じて入力ライン又は出力ラインの設定状態を識別する。そして制御部１０ＡのＣＰＵ１２は、この識別結果によつて所定の選択ボタン１７が選択されたことを識別すると、入出力ルートの切り換え要求をするための切換要求データＳ１を生成し、当該切換要求データＳ１をバツフア１１Ｅ及びＳバス７を介してコントロール部２のコントロールユニツト２Ｂに送出する。
【００２６】
この場合、コントロール部２は切換要求データＳ１を受信すると、当該切換要求データＳ１による各リモートコントロールユニツト６Ａ及び６Ｂからの切換え要求に応じてルーテイングスイツチヤ３Ａ及び３Ｂの入出力ラインのルートを設定するためのルート設定データＤ１を生成し、当該ルート設定データＤ１を各ルーテイングスイツチヤ３Ａ及び３Ｂに対して送信する。
【００２７】
このとき、コントロール部２は各リモートコントロールユニツト６Ａ及び６Ｂの表示部１０Ｂとほぼ同様に構成されるコントロールユニツト２Ｂのコントロールパネル（図示せず）において、入力ライン及び出力ラインに該当する選択ボタンをルート設定データＤ１に基づいて点灯することによつて、各ルーテイングスイツチヤ３Ａ及び３Ｂに対して切り換え設定された入出力ラインのルート設定状態を表示し得るようになされている。
【００２８】
因みに各リモートコントロールユニツト６Ａ及び６Ｂは、それぞれＩＤ(Identification)スイツチ１９を設けており、このＩＤスイツチ１９によつて各コントロールユニツト毎に固有のステーシヨンＩＤを設定するようになされている。これにより、コントロール部２はステーシヨンＩＤによつてリモートコントロールユニツト６との間でデータを送受信する際、各リモートコントロールユニツト６Ａ及び６Ｂを識別し得るようになされている。
【００２９】
各ルーテイングスイツチヤ３Ａ及び３Ｂは、コントロール部２から送信されるルート設定データＤ１を受信すると、当該ルート設定データＤ１に基づいてそれぞれ入出力ラインのルートを設定する。
【００３０】
このようにしてルーテイングスイツチヤ３の入出力ラインが切り換えられると、次にコントロール部２のコントロールユニツト２Ｂより各ルーテイングスイツチヤ３Ａ及び３Ｂに対してＳバス７を通じて入出力ルートの切り換え結果が問い合わせられる。これに対して各ルーテイングスイツチヤ３Ａ及び３Ｂは、クロスポイントを切り換えた入出力ラインがある場合には、当該入出力ラインの切換結果データＳ２をＳバス７を通じてコントロールユニツト２Ｂに送信する。これにより各ルーテイングスイツチヤ３Ａ及び３Ｂはコントロール部３に対して入出力ラインの切換え結果を伝えるようになされている。
【００３１】
この場合、コントロール部２は切換結果データＳ２を受信すると、当該切換結果データＳ２による各ルーテイングスイツチヤ３Ａ及び３Ｂからの切換え結果に応じて入出力ラインの切り換え結果を反映するルート切換データＤ２を生成し、当該ルート切換データＤ２を各リモートコントロールユニツト６Ａ及び６Ｂに送信する。
【００３２】
かくして各リモートコントロールユニツト６Ａ及び６Ｂは、コントロール部２から送信されるルート切換データＤ２を受信すると、当該ルート切換データＤ２に基づいてそれぞれ切り換え設定された入出力ラインに該当する選択ボタンの点灯又は入出力ラインの名称表示を所定の表示手段によつて行うようになされている。
【００３３】
リモートコントロールユニツト６はコントロール部２より送信される入出力ルートのルート切換データＤ２をＳバス７及び入力バツフア１１Ａを介して制御部１０Ａに受信すると、受信したルート切換データＤ２をＣＰＵ１２を介してＲＡＭ(Random Access Memory)１３上に展開する。ここでリモートコントロールユニツト６は、ＣＰＵ１２の制御によりフラツシユＲＯＭ１４に既に格納されているルート設定データＤ０と新たにコントロール部２から送信されてくるルート設定が切り換えられたルート切換データＤ２とをＲＡＭ１３上に展開してルート設定データＤ０及びルート切換データＤ２を照合するようになされている。
【００３４】
この場合、ＣＰＵ１２は制御信号ＳＣによつてＲＡＭ１３及びフラツシユＲＯＭ１４を制御すると共に、アドレスデータＡＤによつてＲＡＭ１３及びフラツシユＲＯＭ１４のアドレスを指定する。
【００３５】
すなわちリモートコントロールユニツト６は、制御部１０ＡにおいてＣＰＵ１２の制御によりフラツシユＲＯＭ１４よりルート設定データＤ０及びデータ処理用のプログラムを読み出して、当該データ処理用のプログラムに従つて読み出したルート設定データＤ０及び新たに受信したルート切換データＤ２を比較する。
【００３６】
さらにリモートコントロールユニツト６は、ルート設定データＤ０及びルート切換データＤ２の比較結果をもとにＣＰＵ１２の制御により各ルーテイングスイツチヤ３Ａ及び３Ｂのクロスポイントのアドレスを検出して入出力ルートを検索する。そして制御部１０Ａにおいて検出したクロスポイントのアドレスを含むルート切換データＤ２をバツフア１１Ｂ及び１１Ｃを介して表示部１０Ｂに送出する。
【００３７】
この場合、リモートコントロールユニツト６の表示部１０Ｂにおいては、ルーテイングスイツチヤ３の入出力ラインに対応する選択ボタン１７をコントロール部２より送信されるルート切換データＤ２に基づいて点灯してルーテイングスイツチヤ３に対して設定された入出力ラインのルートを表示するようになされている。
【００３８】
すなわち、リモートコントロールユニツト６の表示部１０Ｂでは、制御部１０Ａよりバツフア１１Ｂ及び１１Ｃを介して入力される入出力ラインのルート切換データＤ２をデコーダ１５によつてデコードし、当該ルート切換データＤ２に含まれるクロスポイントのアドレスデータに従つて、切換えられた入力ラインに対応する選択ボタン１７に対してラツチ／ドライバ１６を介して点灯データＬ１を出力する。これにより選択ボタン１７に設けられた発光ダイオードＬＥＤの点灯をルート切換データＤ２に基づいてオン／オフ制御するようになされている。
【００３９】
また表示部１０Ｂにおいては、デコーダ１５によつてデコードしたルート切換データＤ２に従つて各選択ボタン１７のスイツチＳＷをオン／オフ制御するようになされている。
【００４０】
さらに表示部１０Ｂにおいては、デコーダ１５でルート切換データＤ２よりデコードしたアドレスデータをキヤラクタ表示部１８に対して出力する。キヤラクタ表示部１８は、入力されるアドレスデータに従つて入出力ルートの入力ラインの名称及び出力ラインの名称を表示するようになされている。
【００４１】
因みにキヤラクタ表示部１８には入力ラインの名称として入力ソースの種別名称（タイプ）及び入力ライン番号が表示され、さらに出力ラインの名称として出力デステイネーシヨンのタイプ及び出力ライン番号が表示される。
【００４２】
このようにスイツチヤ装置１においては、制御局のコントロール部２によつて各リモートコントロールユニツト６Ａ及び６Ｂからのルーテイングスイツチヤ３に対するルート切換え要求をとりまとめて、入出力ラインのルートを設定するためのルート切換データＤ１を生成し、当該ルート切換データＤ１をＳバス７を通じて各ルーテイングスイツチヤ３Ａ及び３Ｂに対して送信することによつてルーテイングスイツチヤ３Ａ及び３Ｂの入出力ラインを切り換える。
【００４３】
さらにコントロール部２は各ルーテイングスイツチヤ３Ａ及び３Ｂより送信される入出力ライン切換結果データＳ２をとりまとめてルート切換データＤ２を生成し、当該ルート切換データＤ２をＳバス７を通じて各リモートコントロールユニツト６Ａ及び６Ｂに送信する。
【００４４】
これにより各リモートコントロールユニツト６Ａ及び６Ｂはルート切換データＤ２に基づいてルーテイングスイツチヤ３Ａ及び３Ｂ各々に切り換え設定された各入出力ラインの名称や、各入出力ラインに該当する選択ボタンを表示することができる。
【００４５】
（２）ルーテイングスイツチヤの入出力ラインの切り換え
図３に示すルーテイングスイツチヤ３は、例えば入力（ＩＮ）側に設けられた512 本の入力ラインの内、実際にＩＮ１〜ＩＮ６４、ＩＮ１０１〜ＩＮ１６４及びＩＮ２０１〜ＩＮ２６４の入力ラインを用いる。さらに各入力ラインＩＮ１〜ＩＮ６４、ＩＮ１０１〜ＩＮ１６４及びＩＮ２０１〜ＩＮ２６４に対して設定し得る出力ラインをＯＵＴ１〜ＯＵＴ６４、ＯＵＴ１０１〜ＯＵＴ１６４及びＯＵＴ２０１〜ＯＵＴ２６４のように設定している。
【００４６】
ここでコントロール部２のコントロールターミナル２Ａによりコントロールユニツト２Ｂの設定画面を表示し、これをもとにユーザが図４に示すような入出力ラインのマトリクス使用範囲を設定する範囲設定データＤ１０を入力し、リモートコントロールユニツト６Ａ及び６Ｂに対してＳバス７を通じて送信する。
【００４７】
リモートコントロールユニツト６Ａ及び６Ｂは受信した範囲設定データＤ１０をフラツシユＲＯＭ１４に記憶する。
【００４８】
この範囲設定データＤ１０は、後述するコントロールパネルのキヤラクタ表示部に表示することのできる出力ラインと当該出力ラインに対して切り換えることのできる入力ラインの範囲を設定したデータであり、それぞれの範囲を出力ライン及び入力ラインそれぞれの名称に含まれるライン番号の開始番号（ＴＯＰ）及び終了番号（ＥＮＤ）によつてそれぞれ設定することにより使用可能な所定の出力ラインの範囲に対して使用可能な入力ラインの範囲を対応付けている。
【００４９】
すなわち図４においては、出力ラインＯＵＴ１（ＴＯＰ）〜ＯＵＴ６４（ＥＮＤ）までの範囲が、入力ラインＩＮ１（ＴＯＰ）〜ＩＮ６４（ＥＮＤ）に使用可能な範囲として対応付けられ、以下、出力ラインＯＵＴ１０１（ＴＯＰ）〜ＯＵＴ１６４（ＥＮＤ）までの範囲が、入力ラインＩＮ１０１（ＴＯＰ）〜ＩＮ１６４（ＥＮＤ）に対応付けられ、さらに出力ラインＯＵＴ２０１（ＴＯＰ）〜ＯＵＴ２６４（ＥＮＤ）までの範囲が、入力ラインＩＮ２０１（ＴＯＰ）〜ＩＮ２６４（ＥＮＤ）に使用可能な範囲としてそれぞれ対応付けられている。
【００５０】
従つてリモートコントロールユニツト６においては、コントロールターミナル２Ａより送信される範囲設定データＤ１０をフラツシユＲＯＭ１４に格納した後、ＲＡＭ１３上に読み出すことによつてＣＰＵ１２によつて範囲設定データＤ１０に基づいて制御対象の出力ラインに対応する使用可能な入力ラインの範囲を判別し得るようになされている。
【００５１】
リモートコントロールユニツト６においてルーテイングスイツチヤ３の制御対象の出力ラインに対して所定の入力ラインを設定する場合、まずユーザは、図５に示すようなコントロールパネル２０上において、所定の出力ラインに該当する選択ボタン１７を選択して押すか又はロータリーエンコーダのセレクタつまみ２１を回すことによつてコントロールパネル２０上のキヤラクタ表示部１８に目的の出力ラインを表示させる。
【００５２】
このときリモートコントロールユニツト６においては、キヤラクタ表示部１８内に現在、制御対象となつている出力ラインの名称を表示させ、その隣に当該出力ラインに対して使用可能な入力ラインの名称を表示するようになされている。すなわちＣＰＵ１２は、キヤラクタ表示部１８において制御対象の出力ラインの中から所定の出力ラインが選択されると、フラツシユＲＯＭ１４内に格納される範囲設定データＤ１０をＲＡＭ１３上に読み出し、これをもとに選択された出力ラインの使用範囲を調べる。
【００５３】
さらにＣＰＵ１２は、範囲設定データＤ１０をもとにして、選択した出力ラインに対応する入力ラインの使用範囲を判別し、選択した出力ラインに対して使用可能な範囲の入力ラインの名称のみを出力ラインの表示の隣に選択ボタン１７又はセレクタつまみ２１の操作に応じて表示させるように制御する。すなわちＣＰＵ１２は、切り換え表示しようとした入力ラインの番号が範囲設定データＤ１０に基づく判別結果から使用可能な範囲内になかつたときはキヤラクタ表示部１８内の表示を変更せず、また切り換え表示しようとした入力ラインの番号が使用可能な範囲内であれば例えばセレクタつまみ２１によつて選択される次の入力ラインの名称をキヤラクタ表示部１８に表示するようにする。
【００５４】
ユーザは、このようにして表示された入力ラインの中から所定の入力ラインを指定した後、テイクボタン２２を押すことによつて所定の制御対象の出力ラインに対して所定の入力ラインを設定する。これによりユーザは、キヤラクタ表示部１８内に表示される入力ラインの名称を使用範囲内で自由に切り換えて、ルーテイングスイツチヤ３の制御対象の出力ラインに対して所定の入力ラインを切り換え設定することができる。
【００５５】
このようにキヤラクタ表示部１８に表示される出力ラインに対して指定できる入力ラインの範囲が範囲設定データＤ１０によつて制限されている場合、キヤラクタ表示部１８においては所定の出力ラインに対して使用可能な入力ラインの名称のみを表示することができ、キヤラクタ表示部１８に表示するデータを必要最小限にして入出力ラインの設定を迅速にし得ると共に、使用できない入力ラインの名称を表示しないようにしたことによつて誤操作を防止し得る。
【００５６】
またこのとき範囲設定データＤ１０に設定する使用可能な入力ライン及び出力ラインの配置を実際のルーテイングスイツチヤ３の入力ライン及び出力ラインの配置と同等とすることにより、入出力ラインの切換え設定を容易に判別し得る。
【００５７】
さらにコントロールターミナル２Ａにおいて入出力ラインの使用範囲を設定した範囲設定データＤ１０に基づいて、各リモートコントロールユニツト６のコントロールパネル２０により入出力ラインの切換え範囲を任意に設定し得るようになされていることにより、ルーテイングスイツチヤ３の入出力ラインの選択度を高めることができる。
【００５８】
さらに各出力ライン毎に使用可能な入力ラインを設定する場合に比較して、設定可能な出力ライン及び当該出力ラインに対して使用可能な入力ラインをそれぞれ出力ラインの範囲及び入力ラインの範囲同士で対応させることにより、表示範囲を制限するようにしたことにより、範囲設定データＤ１０のデータ量及びデータ設定量を格段に少なくすることができる。
【００５９】
（３）実施の形態の動作
以上の構成において、リモートコントロールユニツト６のコントロールパネル２０上のキヤラクタ表示部１８において、制御対象の出力ラインの内から所定の出力ラインを選択ボタン１７又はセレクタつまみ２１によつて選択指定して、さらに選択指定した出力ラインに対して設定する入力ラインを選択ボタン１７又はセレクタつまみ２１を用いて表示させる。
【００６０】
この場合、ＣＰＵ１２は、キヤラクタ表示部１８において制御対象の出力ラインの中から所定の出力ラインが選択指定されると、フラツシユＲＯＭ１４よりＲＡＭ１３上に読み出す範囲設定データＤ１０をもとに、選択指定された出力ラインの使用範囲を調べる。
【００６１】
さらにＣＰＵ１２は、範囲設定データＤ１０をもとにして選択指定した出力ラインに対応する入力ラインの範囲を判定し、選択指定した出力ラインに対して使用可能な範囲の入力ラインの名称のみをキヤラクタ表示部１８内の出力ラインの表示の隣に表示する。
【００６２】
すなわちＣＰＵ１２は、例えば出力ラインＯＵＴ１が出力ラインとして選択指定されると、範囲設定データＤ１０に基づいて出力ラインＯＵＴ１の範囲が出力ラインＯＵＴ１（ＴＯＰ）〜ＯＵＴ６４（ＥＮＤ）（図４）までの範囲であることを調べる。そして出力ラインＯＵＴ１に対して設定しようとした入力ラインの番号が使用可能な範囲、すなわち入力ラインＩＮ１（ＴＯＰ）〜ＩＮ６４（ＥＮＤ）（図４）内にないときにはキヤラクタ表示部１８内の表示を変更せず、また切り換え表示しようとした入力ラインの番号が入力ラインＩＮ１（ＴＯＰ）〜ＩＮ６４（ＥＮＤ）内の使用可能な範囲内であれば選択ボタン１７又はセレクタつまみ２１によつて切り換えた入力ラインの名称をキヤラクタ表示部１８に表示する。
【００６３】
このように選択指定された出力ラインに対して指定できる入力ラインの範囲を範囲設定データＤ１０によつて調べることによつて、キヤラクタ表示部１８において選択指定した出力ラインに対しては、使用可能な入力ラインのみを表示することができる。かくしてキヤラクタ表示部１８に表示するデータを必要最小限にして入出力ラインの設定を迅速にし得ると共に、使用できない入力ラインの名称を表示しないようにしたことによつて誤操作を防止し得る。
【００６４】
（４）実施の形態の効果
以上の構成によれば、ルーテイングスイツチヤ３に設けられた出力ラインの使用可能な範囲を設定すると共に、当該使用可能な出力ラインの範囲に対して使用制限された入力ラインの使用可能な範囲をコントロール部２において範囲設定データＤ１０として設定することにより、リモートコントロールユニツト６においてルーテイングスイツチヤ３に対して入出力ラインを切り換え設定する場合、キヤラクタ表示部１８に制御対象となる出力ラインを表示するとき、範囲設定データＤ１０に基づくＣＰＵ１２の制御によりキヤラクタ表示部１８には使用可能な出力ラインのみが表示され、さらに当該出力ラインに対しては使用可能な入力ラインのみを対応表示させることができる。これにより使用可能な入出力ラインのみの表示により、ルーテイングスイツチヤ３の入出力ラインを迅速に切り換えてルート設定することができると共に、制御対象の出力ラインに対する入力ラインの誤設定を未然に防止し得る。
【００６５】
さらに各出力ライン毎に使用可能な入力ラインを設定する場合に比較して、設定可能な出力ライン及び当該出力ラインに対して使用可能な入力ラインをそれぞれ出力ラインの範囲及び入力ラインの範囲同士で対応させ、表示範囲を制限するようにしたことにより、範囲設定データＤ１０のデータ量及びデータ設定量を格段に少なくすることができる。
【００６６】
（５）他の実施の形態
なお上述の実施の形態においては、使用可能な範囲を入力ソース又は出力デステイネーシヨンの名称に含まれるライン番号によつて指定した場合について述べたが、本発明はこれに限らず、例えば出力デステイネーシヨンがＶＴＲのときは、入力ソースの名称のタイプにＶＴＲが含まれる入力ソースのみを表示することによつて使用可能な入力ソースを設定するようにしても良い。
【００６７】
さらに上述の実施の形態においては、フラツシユＲＯＭ１４に範囲設定データＤ１０を格納しておくようにした場合について述べたが、本発明はこれに限らず、範囲設定データＤ１０を光デイスク等の記憶媒体に記憶して、これをコンピユータ等の外部読取り装置を介して読み取り、各リモートコントロールユニツト６のＲＡＭ１３上で展開することにより入出力ラインの使用範囲を設定するようにしても良い。
【００６８】
これにより既存のスイツチヤ装置１においても所定の記憶媒体からデータを読み取らせるだけで入出力ラインの使用範囲を用意に設定することができ、かくして上述の実施の形態と同様の効果を得ることができる。
【００６９】
【発明の効果】
上述のように本発明によれば、所定の出力ラインに対して使用制限され且つ機器の名称が同一タイプである入力ラインの範囲を入出力範囲設定部によつて設定することにより、制御対象の出力ラインに対して入力ラインを設定するとき、入出力ルート設定部の表示部において制御対象の出力ラインに対して使用可能な入力ラインのみを表示すると共に選択ボタンの点灯状態により信号ルートを示すことができ、かくして制御対象の出力ラインに対して使用可能な入力ラインを確実かつ迅速に設定することができるスイツチヤ装置を実現し得る。
【図面の簡単な説明】
【図１】本発明の実施の形態によるスイツチヤ装置の構成を示す略線的ブロツク図である。
【図２】リモートコントロールユニツトの構成を示す略線的ブロツク図である。
【図３】ルーテイングスイツチヤの構成を示す略線的ブロツク図である。
【図４】入力ライン及び出力ラインの範囲設定設定の説明に供する略線図である。
【図５】コントロールパネルを示す略線図である。
【符号の説明】
１……スイツチヤ装置、２……コントロール部、２Ａ……コントロールターミナル、２Ｂ……コントロールユニツト、３、３Ａ、３Ｂ……ルーテイングスイツチヤ、４……ソース、５……デステイネーシヨン、６、６Ａ、６Ｂ……リモートコントロールユニツト、７……Ｓバス、１１Ａ〜１１Ｄ……バツフア、１２……ＣＰＵ、１３……ＲＡＭ、１４……フラツシユＲＯＭ、１５……デコーダ、１６……ラツチ／ドライバ、１７……発光ダイオード、１８……キヤラクタ表示部、２０……コントロールパネル、２１……セレクタつまみ、２２……テイクボタン。
【図１】
0004150939.tif 000002
【図２】
0004150939.tif 000003
【図３】
0004150939.tif 000004
【図４】
0004150939.tif 000005
【図５】
0004150939.tif 000006